(57)【要約】【課題】多数の鍵を一括管理する際、個々の鍵を挿入させて取り付ける鍵の保管場所が間違えられないように定められた位置に正確に管理させることができる鍵管理装置を提供する。【解決手段】差込口に差し込まれた鍵管理部材の差込部を、該差込口の内方で突合せさせて受け止める受止部を備え、突合せられた前記鍵管理部材の差込部または前記受止部の一方に、鍵管理部材の差込方向に向けて開口されている複数の同一形状の穿孔部と、該穿孔部の決められた位置に嵌め込んで特定の穿孔部の位置を閉塞するアタッチメントとを備え、他方の突合せ面には、前記アタッチメントが嵌め込まれていない穿孔部にアタッチメントを挿脱自在に対向させて固定させる組合せ条件を変えることで数多くの照合パターンを作成可能にした鍵管理装置を構成する。【選択図】図２
2009013732.tif 000002
【特許請求の範囲】
【請求項１】
個々の鍵別に取り付けられた複数の鍵管理部材と、
前記鍵管理部材を着脱自在に差し込ませる差込口と、
前記差込口に差し込まれた各鍵管理部材の抜き取り可否を管理する鍵別管理機構と、
を有する鍵管理装置であって、
前記差込口に差し込まれた鍵管理部材の差込部を、該差込口の内方で突合せさせて受け止める受止部を備え、
突合せられた前記鍵管理部材の差込部または前記受止部の一方の突合せ面に、鍵管理部材の差込方向に向けて開口されている複数の同一形状の穿孔部と、該穿孔部の決められた位置に嵌め込んで特定の穿孔部の位置を閉塞するアタッチメントとを備え、他方の突合せ面には、前記アタッチメントが嵌め込まれていない穿孔部に挿脱自在に対向させてアタッチメントを固定させた
鍵管理装置。
【請求項２】
前記アタッチメントは、
前記穿孔部に挿脱される軸本体と、
前記軸本体の一方の軸端面より軸方向に細く尖らせて突設させた植込みピンとからなる
請求項１に記載の鍵管理装置。
【請求項３】
前記複数の穿孔部を、櫛歯状に等間隔に配列した
請求項１または２に記載の鍵管理装置。
【請求項４】
前記差込口の開口形状を、該差込口別に、またはある定まった複数単位別に異ならせて設け、前記異ならせた各開口形状に合せて、各鍵管理部材の差込部を挿入可能な同形状に形成した
請求項１、２または３に記載の鍵管理装置。
【発明の詳細な説明】
【技術分野】
【０００１】
この発明は、セキュリティを管理が必要とする多数の鍵を一ヶ所に区別して効率よく管理する鍵管理装置に関する。
【背景技術】
【０００２】
一般に、この種の鍵管理装置は、多数の鍵を予め定められた位置に整列配置させて管理している。このように多数の鍵を管理する際は、鍵別に取り付けたキーホルダのような鍵管理部材を設け、該鍵管理部材を定位置に取り付ける鍵管理部材の挿入部とを対応させて各々の鍵を定位置に取り付けている。
【０００３】
これらの鍵を管理するために各鍵管理部材挿入部の内部に設けられた規制突起と各鍵管理部材に設けられた係合溝とが互いに一致するように凹凸対応させて鍵ごとに個別に形成した鍵管理方式が知られている(例えば特許文献１参照)。
【０００４】
このように、鍵管理部材挿入部別に照合させて照合一致する特定の鍵管理部材のみを挿入可能とする構造にすることで、鍵管理装置に整列配置して一括管理される多数の鍵管理部材の取付け位置の誤挿入操作を防止し、挿入して取り付けられる個々の鍵別に施錠、解錠させて取り付けることにより、数多くの鍵を一括管理するようにしている。
【特許文献１】特公平７−１０３７２３号
【発明の開示】
【発明が解決しようとする課題】
【０００５】
しかし、鍵管理装置に設けられる多数の鍵管理部材挿入部と、個々の鍵管理部材との凹凸対応する組み合せは、鍵管理装置の製作時に予め定められており、予め定められた凹凸対応する組み合せを使用者側で変更することができなかった。このため、多数の鍵を一括管理する鍵管理装置と別の鍵管理装置とが同じ管理場所に複数配置されて管理された場合、一方の鍵管理装置と他方の鍵管理装置の鍵が混同して鍵が誤挿入されてしまうおそれがあった。
【０００６】
具体的には、一方の管理領域に用いられる数多くの鍵群と、他方の管理領域に用いられる数多くの鍵群とが同じ管理室内に並列設置された場合、一方の鍵管理装置の鍵管理部材が他方の鍵管理装置に取り付けられてしまうという誤挿入が発生し、この結果、鍵を定められた位置に正確に管理させることができない事態が生じる問題を有していた。
【０００７】
そこでこの発明は、多数の鍵を一括管理する際、個々の鍵を挿入させて取り付ける鍵の保管場所が間違えられないように定められた位置に正確に管理させることができる鍵管理装置を提供することを目的とする。
【課題を解決するための手段】
【０００８】
この発明は、個々の鍵別に取り付けられた複数の鍵管理部材と、前記鍵管理部材を着脱自在に差し込ませる差込口と、前記差込口に差し込まれた各鍵管理部材の抜き取り可否を管理する鍵別管理機構と、を有する鍵管理装置であって、前記差込口に差し込まれた鍵管理部材の差込部を、該差込口の内方で突合せさせて受け止める受止部を備え、突合せられた前記鍵管理部材の差込部または前記受止部の一方の突合せ面に、鍵管理部材の差込方向に向けて開口されている複数の同一形状の穿孔部と、該穿孔部の決められた位置に嵌め込んで特定の穿孔部の位置を閉塞するアタッチメントとを備え、他方の突合せ面には、前記アタッチメントが嵌め込まれていない穿孔部に挿脱自在に対向させてアタッチメントを固定させたことを特徴とする。
【発明の効果】
【０００９】
この発明によれば、突合せ面の一方に形成される複数の穿孔部と、これらの穿孔部に他方の突合せ面より挿入されるアタッチメントとの互いの有無によって照合条件を設定できる。従って、これらの照合条件を組み合わせることにより相互の突合せ面間の組合せパターンを数多く、しかもユーザが任意に設定して構築することができる。従って、複数の鍵管理装置を同じ管理場所に並べて設置しても、特定の鍵管理部材は予め決められた差込口のみ対応して挿入されることになり、ほかの差込口への誤挿入が解消される。
【発明を実施するための最良の形態】
【００１０】
この発明の鍵管理装置の一実施例の構成を図面について説明する。
【実施例】
【００１１】
図１において、１は鍵管理装置本体で、この鍵管理装置本体１の前面には片開き式に開閉する扉２が取り付けられており、該扉２が開けられた鍵管理装置本体１の前面となる盤面８には、複数の鍵管理部材３を個々に差し込んで取り付ける複数の差込口４が横方向の上下に並列して開口されている。また、各差込口４の上部には鍵管理部材３の挿入状態を点灯、消灯または点滅等によって表示する表示部５が備えられている。
【００１２】
前記扉２で覆われていない盤面８の一側(図１の右側)には液晶表示部１６と操作キー１７と個人認証装置１５とが、この順に上下方向に配設されている。上部の液晶表示部１６には鍵の運用管理及びセキュリティ管理等を案内するための各種の情報が表示される。操作キー１７はテンキー等によって構成され、使用者によって各種の情報が入力操作される。個人認証装置１５は例えば指静脈認証装置や指紋認証装置を用いることができ、ここに使用者の指情報を読み取らせて認証するものである。
【００１３】
前記盤面８は鍵管理装置本体１の前面よりさらに片開き式に開閉される内扉１０と一体であり、盤面８の背面側をさらに開けることができる(図５参照)。そして、鍵管理部材３別に定められた差込口４に取り付けさせる取付位置の個別設定を行う際に開き、通常は閉じて盤面８に備えられている盤面鍵部９により施錠されている。
【００１４】
また、盤面８には扉検知孔７９と扉施解錠レバー７３を有しており、扉検知孔７９と対応する扉２の内面に突設されている扉検知板７８が、扉２を閉めた時に扉検知孔７９に挿入し、この扉検知板７８の有無を扉検知孔７９内の扉センサ７７(図７参照)が検知することにより扉２の施錠、解錠を確認する。また、扉施解錠レバー７３と対応する扉２の内面には扉施錠板７１が突設されており、扉２を閉めた時に扉施解錠レバー７３が扉施錠板７１に係合して施錠される(図７参照)。
【００１５】
次に、鍵管理部材３の構成について説明する。この鍵管理部材３は、前記差込口４に差し込むことができる形状を有する差込部３ａを有し、且つ差込部３ａにアタッチメント７(後述)を取り付けることができる部材であって、キーホルダのように使用され、不使用時には他の鍵管理部材と共に鍵管理装置に個々に取り付けられて一括管理される。よって、該鍵管理部材３はキーホルダとしての所定の厚みを有する例えば長尺の板材にて形成され、基端部には鍵２０が取り付けられている。
【００１６】
図２は鍵管理部材３と受止部６との取付前の対応状態を示す説明図であり、図３は受止部６に鍵管理部材３が取り付けられた取付状態を示す説明図である。
【００１７】
この鍵管理部材３は先端部に照合用突起部材としてのアタッチメント７が取り付けられる。このアタッチメント７は、細長い軸本体７ａと、該軸本体７ａの一方の軸端面より一体化して軸方向に細く尖らせて突設させた植込みピン７ｂとから構成されている。前記鍵管理部材３及びアタッチメント７は樹脂で成型し、鍵管理部材３の差込部３ａ側の端面には、小さなピン植込み孔(図外)が板幅方向(図２の上下方向)に沿って定間隔に開口されており、ここに植込みピン７ｂを差し込むことにより、樹脂の弾性を利用してアタッチメント７を鍵管理部材３の差込部３ａの端面に一体に固定することができる。なお、差込部３ａは、後述する受止部６の突合せ面に対応する形状となるため、受止部６の突合せ面が例えば平面であれば、該差込部３ａの突合せ面も平面形状となる。
【００１８】
上述の受止部６は差込口４の内方底面として設けられ、差込口４に差し込まれた鍵管理部材３の差込部３ａの先端面を平面対向させて受け止める平面形状を有している。前記受止部６は、差込部３ａと突合された際に、その突合せ方向に互いに当接して対応する形状であればよく、ここでは平面対接して受け止める平面的な受止面を構成している。そして、該受止部６の端面には、鍵管理部材３の差込方向に向けて細長く開口されている挿入孔６ａを複数個有している。
【００１９】
該挿入孔６ａは鍵管理部材３に取り付けられているアタッチメント７を挿入可能にアタッチメント７の配列方向と同方向(図２の上下方向)に同一形状を有して櫛歯状に等間隔に開口されている。そして、これらの挿入孔６ａに対しては、図４にも示すように、照合用に、ある組合せ数のアタッチメント７を予め埋め込んで、鍵管理部材３のアタッチメント７の挿入を規制する閉塞部１１を形成しておく。この閉塞部１１を形成する場合は、挿入孔６ａ内に植込みピン７ｂを先端にしてアタッチメント７を挿入し、該挿入孔６ａ内の底面に開口されている小さなピン植込み孔(図外)に植込みピン７ｂを差し込んで固定することにより形成できる。
【００２０】
これにより、受止部６では等間隔に配列された挿入孔６ａのうち、植込みピン７ｂが埋め込まれた閉塞部１１と、植込みピン７ｂが埋め込まれていない未閉塞部１２とを任意に設定することができる。よって、受止部６では閉塞部１１と未閉塞部１２との組合せ条件を設定することにより、ここに対応する鍵管理部材３側のアタッチメント７の挿入可否の条件を選別できることになる。これによって、突合せ対応する受止部６と差込部３ａとの凹凸が一致するか否かの組合せパターンを数多く構築することができる。
【００２１】
また、多数の挿入孔６ａを形成する場合、同一形状の孔に揃えることで、挿入孔６ａの共通利用だけでなく、ここに挿入される各アタッチメント７も共通する同一形状の部材を用いることができ、アタッチメント７の共通利用が可能になる。このため、受止部６及び鍵管理部材３は簡素化や設計が容易化されることになる。前記受止部６へのアタッチメント７の取り付けに際しては、図５に示すように、盤面鍵部９により施錠されている盤面８を開いて実施する。
【００２２】
この実施例では８個の挿入孔６ａを照合設定数として使用した場合を図示している。従って、アタッチメント７を取り付ける設定時に、例えばアタッチメント７の４個を鍵管理部材３へ取り付け、４個を受止部６へ取り付けるなどの組合せパターンを設定した場合、７０通りの組み合せがあり、７０個までの鍵の管理が可能になる。アタッチメント７の数を増やせば、さらに組み合せは増え、この実施例では１列のアタッチメント７の配置を示したが複数列に配置することもできる。
【００２３】
また、図６に示すように、差込口４の開口形状を変えれば、さらに鍵管理部材３の誤挿入を防止することできる。図６(Ａ)は第１の異形差込口６４ａの使用状態を示す要部正面図であり、図６(Ｂ)は第２の異形差込口６４ｂの使用状態を示す要部正面図である。
【００２４】
図６(Ａ)に示す異形差込口６４ａは、左側上部を狭幅部１３に形成してなる段付き開口部であり、ここに差し込まれる鍵管理部材６３ａも同形状に形成して、上部の狭幅部１３との照合対応によって他の鍵管理部材と区別できる。同じく、図６(Ｂ)に示す異形差込口６４ｂは、右側上部を狭幅部１４に形成してなる段付き開口部であり、ここに差し込まれる鍵管理部材６３ｂも同形状に形成して、上部の狭幅部１４との照合対応によって他の鍵管理部材と区別できる。
【００２５】
この場合は、差込口６４ａ，６４ｂごとに開口形状が異なるので、鍵管理部材６３ａ，６３ｂの差込み段階で正規の鍵管理部材の挿入か否かを照合できる。このため、鍵管理部材６３ａ，６３ｂの挿入初期の段階で事前に誤挿入を防ぐことができる。さらに、鍵管理装置別に差込口６４ａ，６４ｂの開口形状を変えれば、２つの鍵管理装置が並列設置されるような場合であっても、これらの装置間での区別ができるため誤挿入を防止でき、正確に多数の鍵を管理することができる。例えば、２つの鍵管理装置が並列設置された場合、前記７０個までの鍵の管理数はさらに増えて２倍となり、１４０個までの鍵の管理が可能となる。この実施例では差込口６４ａ，６４ｂの上部の形状を変更したものを示したが下部の形状を変更すれば、さらに鍵の管理の組み合せを増やすことができる。
【００２６】
次に、鍵管理部材３の鍵施解錠機構１４を図２に基づいて説明する。  
この鍵施解錠機構１４は鍵管理部材３の上部に切り欠いて設けられた施錠凹部３１に係る施解錠爪部３２を先端に形成した施解錠レバー３３が回動支点となる支軸３４に軸支されている。鍵管理部材３が差込口４より挿入されると、その挿入途中の下側に配設された鍵管理部材３の挿抜を検知するマイクロスイッチ３７のアクチエータ３７ａの動きによって検知される。
【００２７】
これにより、施解錠爪部３２が支軸３４を支点として施解錠レバー３３は上方に押上げられ、該施解錠レバー３３は自重で復帰回動して施解錠爪部３２が鍵管理部材３の施錠凹部３１に係りロック状態となって、鍵管理部材３は差込口４より抜き取りできなくなる。
【００２８】
一方、制御部８０(図８参照)から解錠信号を受け、電気的駆動部として例えばソレノイド３５が励磁されると、軸３６が吸引されて施解錠レバー３３は支軸３４を支点に解錠方向に回動されて施解錠爪部３２が係止状態の鍵管理部材３の施錠凹部３１から外れてロック解除される。このときに鍵管理部材３が差込口４より抜き取り可能となる。
【００２９】
次に、扉施解錠機構７０を図７に基づいて説明する。  
盤面８の内面には鈎状の扉施解錠レバー７３が設けられており、この扉施解錠レバー７３は鍵管理装置本体１の前面より突出している。扉施解錠レバー７３は扉２が閉まったときに、扉２に設けられた扉施錠板７１に係合され、施錠される機構となっている。この扉施解錠機構７０は前記扉施錠板７１に係る扉施解錠爪部７２を先端に形成した扉施解錠レバー７３が回動支点となる支軸７４に軸支されている。扉２が閉まると扉施錠板７１に押され、扉施解錠爪部７２が支軸７４を支点として上方に押上げられ、扉２が完全に閉まると扉施解錠レバー７３は自重で復帰回動して扉施解錠爪部７２が扉施錠板７１に係り、扉２は開かなくなり施錠される。
【００３０】
この扉施解錠レバー７３の後端部に電気的駆動部として、例えばソレノイド７５を設け、該ソレノイド７５が制御部からの解錠信号を受けると、励磁動作により軸７６が吸引され、扉施解錠レバー７３は支軸７４を支点に回動されて扉施解錠爪部７２が扉施錠板７１から外れる。これにより、扉２は解錠され、扉２を開くことが可能となる。また、盤面８の内面に例えば、光学式透過型センサなどの扉センサ７７を設け、扉２が閉まると前記扉検知板７８が前記扉検知孔７９より挿入され、扉センサ７７が扉検知板７８により遮光されて扉センサ７７をＯＦＦし、扉２が開くと、遮光が解除されて扉センサ７７はＯＮとなる。この検知動作により扉２の開閉状態が管理される。
【００３１】
次に、図８に示す鍵管理装置の制御回路ブロック図を参照して説明する。  
ＣＰＵなどにて構成された制御部８０には、前記個人認証装置１５、前記液晶表示部１６と、前記操作キー１７を制御できるように接続されている。また、制御部８０は記録媒体８３にも接続され、ここに各種のデータを記憶する。
【００３２】
また、鍵管理部材３が受止部６に挿入された取付状態であることを検知するマイクロスイッチ３７と、鍵管理部材３の施解錠を行う施解錠レバー３３を駆動するソレノイド３５と、鍵管理部材３の有無状態や抜き取り可否状態等を表示する表示部５からなる鍵管理部材挿入制御部８１及び、扉２の閉状態を検知する扉センサ７７、扉２を施解錠する扉施解錠レバー７３を駆動するソレノイド７５からなる扉施解錠制御部８２との入出力が制御部８０により制御されるように接続されている。
【００３３】
また、個人認証装置１５は、使用者の指静脈データ、指紋データを読み取って登録することができ、予め登録しておいた指データと照合することにより、認証を行う機能を有する。さらに、前記液晶表示部１６には、モード表示、状態表示、登録表示、日付・時刻などが表示される。また、前記操作キー１７は、英数字/カナキー、モード選択キー、取消キー、訂正キー、実行キー、切替キーにて構成されており、使用者は登録入力、管理キーの選択、モード選択を行える。
【００３４】
次に、この鍵管理装置の鍵管理部材３の管理動作について説明する。  
この鍵管理装置の使用権限は、管理者と一般者がある。管理者権限では、鍵管理装置の使用者登録や管理情報の照会を行える管理モードと鍵の貸出／返却を行う運用モードとの両方を使用でき、一般者権限では、運用モードのみを使用できる。
【００３５】
鍵管理装置の認証様態は、個人認証装置１５の指データのみを使用する第１の態様と、管理番号と指データを使用する第２の態様と、管理番号とパスワードを使用する第３の態様と、管理番号、指データ及びパスワードを使用する第４の態様との何れかを選択できる。
【００３６】
鍵管理装置を使用する際、管理者権限の使用者が管理モードで使用者登録を行う。使用者登録では、指データ、管理番号、パスワードの登録、管理者／一般者区分、複数の鍵管理部材３の中で運用できる鍵管理部材３の指定を設定する。
【００３７】
鍵管理装置が待機状態にあり、液晶表示部１６に待機画面が表示されている状態で使用者は個別に登録された認証様態による認証操作を行う。管理番号もしくはパスワードでは操作キー１７により入力操作を行う。制御部８０は、入力データと登録されている管理番号もしくはパスワードとの照合をし、番号認証を行う。指データによる認証では、個人認証装置１５に指を置くと、個人認証装置１５は指データを取得し、登録されている全指データと照合を行う。同じ指データであると照合されると管理番号を制御部８０へ出力して指データによる認証が行われる。前記認証様態により全ての認証がなされた場合、個人認証が成立する。
【００３８】
個人認証が行われると制御部８０は扉施解錠制御部８２のソレノイド７５を励磁し、扉施解錠レバー７３を回動して、扉２を解錠するとともに、液晶表示部１６に扉開可能の操作ガイダンスを表示する。使用者が扉２を開くと、制御部８０は扉施解錠制御部８２の扉センサ７７により扉開を検知し、ソレノイド７５の励磁を解除するとともに、使用者の使用権限に合わせて管理モードもしくは運用モードの操作ガイダンスを表示する。
【００３９】
運用モードにおいて、鍵管理部材３を抜き出す場合、使用者は液晶表示部１６の操作ガイダンスに従い操作キー１７により特定の情報を入力操作する。制御部８０は、操作キー１７により指定された鍵管理部材３の施解錠レバー３３を解錠する鍵管理部材挿入制御部８１のソレノイド３５を励磁し、その対応する施解錠レバー３３を回動させて鍵管理部材３を解錠するとともに、対応する表示部５を点滅させる。使用者はこの解除状態で鍵管理部材３の引き抜き操作を行う。鍵管理部材３が引き抜かれたことをマイクロスイッチ３７により検知すると、制御部８０はソレノイド３５の励磁を解除するとともに、液晶表示部１６は運用モードの操作ガイダンスを元の待機画面の表示に戻す。
【００４０】
運用モードにおいて、鍵管理部材３が差込口４に差し込まれると、施解錠レバー３３の施解錠爪部３２が鍵管理部材３の施錠凹部３１に係合されて鍵管理部材３は施錠される。このとき、鍵管理部材３のアタッチメント７と受止部６の挿入孔６ａとが凹凸対応した場合のみ鍵管理部材３は差し込まれ、不一致の場合、鍵管理部材３はアタッチメント７の挿入が規制されて差し込まれない。また、図６に示すように、差込口４の開口形状を変えた場合、差込許可される形状の鍵管理部材３のみが差込許可され、不一致の場合、鍵管理部材３は差し込まれない。
【００４１】
管理者モードでは、液晶表示部１６の操作ガイダンスに従い鍵管理装置の使用者登録や管理情報の照会を行う。全ての操作が終了し、使用者が扉２を閉めると、扉施解錠レバー７３が扉施錠板７１に係合され、扉２は施錠される。このとき、制御部８０は扉施解錠制御部８２の扉センサ７７により扉閉を検知し、鍵管理装置は利用待機状態に戻り、液晶表示部１６に待機画面が表示される。鍵管理装置での一連の操作履歴は記録媒体８３に記録され、管理者モードにおける管理情報として照会できる。
【００４２】
上述のように、鍵管理部材の差込部を差込口に差し込んだ内方で互いに突合せられる受止部と差込部との対向面間を、さらに細かく挿入孔群の突合せ面とアタッチメント群の突合せ面とに細分化し、これらの突合せ面を凹凸対応させる組合せ条件に設定することで、数多くの組合せパターンを設定することができる。また、アタッチメントをユーザ側で取り付けるようにすれば、所望の組合せパターンをユーザ側で任意に設定することができる。
【００４３】
この発明の構成と、上述の実施例の構成との対応において、
この発明の鍵別管理機構は、実施例の鍵施解錠機構１４に対応し、
以下同様に、
穿孔部は、挿入孔６ａに対応するも、
この発明は、上述の実施例の構成のみに限定されるものではなく、請求項に示される技術思想に基づいて多くの実施の形態を得ることができる。例えば、上述の実施例では差込口側に挿入孔６ａを設け、鍵管理部材３側にアタッチメント７を突設させたが、これに限らず、差込口側にアタッチメント７を突設させ、鍵管理部材３側に挿入孔６ａを設けることもできる。
【図面の簡単な説明】
【００４４】
【図１】鍵管理装置本体の盤面を扉を開けて示す斜視図。
【図２】鍵管理部材と受止部との取付前の対応状態を示す説明図。
【図３】受止部に鍵管理部材が取り付けられた取付状態を示す説明図。
【図４】受止部の挿入孔の配設状態の一例を示す要部正面図。
【図５】鍵管理装置本体の内扉を開けて示す斜視図。
【図６】(Ａ)は第１の異形差込口の使用状態を示す要部正面図、(Ｂ)は第２の異形差込口の使用状態を示す要部正面図。
【図７】扉施解錠機構の扉を閉じた状態の概略説明図。
【図８】鍵管理装置の制御部ブロック図。
【符号の説明】
【００４５】
１…鍵管理装置本体
３，６３ａ，６３ｂ…鍵管理部材
３ａ…差込部
４，６４ａ，６４ｂ…差込口
６…受止部
６ａ…挿入孔
７…アタッチメント
【図１】
2009013732.tif 000003
【図２】
2009013732.tif 000004
【図３】
2009013732.tif 000005
【図４】
2009013732.tif 000006
【図５】
2009013732.tif 000007
【図６】
2009013732.tif 000008
【図７】
2009013732.tif 000009
【図８】
2009013732.tif 000010